(57)【要約】【課題】通信経路が冗長になることを防止しつつ、発信元モバイル端末の現在の位置情報及び位置情報管理サーバのＩＰアドレスの漏洩を防止することを可能とする移動通信制御方法等を提供する。【解決手段】発信元ルータ装置ＡＲ２が、パケット内に宛先アドレスとして含まれている宛先移動通信端末２の第１のアドレスを宛先移動通信端末２の第１のアドレスに関連付けて記憶している宛先移動通信端末２の第２のアドレスに変換する工程と、宛先ルータ装置ＡＲ３が、パケット内に宛先アドレスとして含まれている宛先移動通信端末２の第２のアドレスを宛先移動通信端末２の第２のアドレスに関連付けて記憶している宛先移動通信端末２の第１のアドレスに変換する工程とを有する。【選択図】　　　図１
2004112727.tif 000002
【特許請求の範囲】
【請求項１】
サーバ装置と複数のルータ装置とを具備する移動通信制御システムであって、
前記サーバ装置は、
宛先移動通信端末の第１のアドレス及び第２のアドレスを関連付けて管理するアドレス管理部と、
発信元移動通信端末に無線接続されている発信元ルータ装置に対して、前記宛先移動通信端末の第１のアドレス及び第２のアドレスを関連付けて記憶するように指示する指示部とを具備し、
前記発信元ルータ装置は、
前記サーバ装置からの指示に応じて、前記宛先移動通信端末の第１のアドレス及び第２のアドレスを関連付けて記憶する第１のアドレス記憶部と、
前記発信元移動通信端末から受信したパケット内に宛先アドレスとして含まれている前記宛先移動通信端末の第１のアドレスを、該宛先移動通信端末の第１のアドレスに関連付けて記憶している前記宛先移動通信端末の第２のアドレスに変換するアドレス変換部と、
変換された前記宛先アドレスに基づいて、前記宛先移動通信端末に無線接続されている宛先ルータ装置に対して、前記パケットをルーティングするルーティング部とを具備し、
前記宛先ルータ装置は、
前記宛先移動通信端末の第１のアドレス及び第２のアドレスを関連付けて記憶する第２のアドレス記憶部と、
受信した前記パケット内に宛先アドレスとして含まれている前記宛先移動通信端末の第２のアドレスを、該宛先移動通信端末の第２のアドレスに関連付けて記憶している前記宛先移動通信端末の第１のアドレスに変換するアドレス変換部と、
変換された前記宛先アドレスに基づいて、前記宛先通信端末に前記パケットを転送するパケット転送部とを具備することを特徴とする移動通信制御システム。
【請求項２】
前記宛先ルータ装置は、前記宛先移動通信端末が、所定領域内に移動してきた場合、又は、アクティブ状態になった場合に、前記宛先移動通信端末の第１のアドレスに関連付けて記憶する前記宛先移動通信端末の第２のアドレスを選択して前記サーバ装置に通知する選択通知部を具備し、
前記サーバ装置のアドレス管理部は、通知された前記宛先移動通信端末の第２のアドレスと前記宛先移動通信端末の第１のアドレスとを関連付けて管理することを特徴とする請求項１に記載の移動通信制御システム。
【請求項３】
前記発信元ルータ装置は、前記第１のアドレス記憶部に、前記発信元移動通信端末から受信したパケット内に宛先アドレスとして含まれている前記宛先移動通信端末の第１のアドレスに関連付けられている前記宛先移動通信端末の第２のアドレスが記憶されていない場合、該宛先移動通信端末の第２のアドレスについて前記サーバ装置に問い合せる問い合せ部を具備し、
前記サーバ装置の指示部は、前記発信元ルータ装置からの前記問い合せに応じて、前記宛先移動通信端末の第１のアドレス及び第２のアドレスを関連付けて記憶するように指示することを特徴とする請求項１に記載の移動通信制御システム。
【請求項４】
前記サーバ装置のアドレス管理部は、前記宛先移動通信端末の移動状況又は状態変化に応じて、関連付けて管理する前記宛先移動通信端末の第１のアドレス及び第２のアドレスを変更することを特徴とする請求項１に記載の移動通信制御システム。
【請求項５】
前記サーバ装置の指示部は、前記発信元移動通信端末から前記宛先移動通信端末へ前記パケットが転送される際に経由されないルータ装置に対して、記憶している前記宛先移動通信端末の第１のアドレス及び第２のアドレスを削除するように指示することを特徴とする請求項１に記載の移動通信制御システム。
【請求項６】
前記発信元ルータ装置又は前記宛先ルータ装置のアドレス変換部は、前記パケット内の判定ビットによって、前記宛先移動通信端末の第１のアドレスと前記宛先移動通信端末の第２のアドレスとを区別することを特徴とする請求項１に記載の移動通信制御システム。
【請求項７】
発信元移動通信端末が、宛先アドレスとして宛先移動通信端末の第１のアドレスを含むパケットを送信する工程Ａと、
サーバ装置が、前記発信元移動通信端末に無線接続されている発信元ルータ装置に対して、前記宛先移動通信端末の第１のアドレス及び第２のアドレスを関連付けて記憶するように指示する工程Ｂと、
前記発信元ルータ装置が、前記サーバ装置からの指示に応じて、前記宛先移動通信端末の第１のアドレス及び第２のアドレスを関連付けて記憶する工程Ｃと、
前記発信元ルータ装置が、受信した前記パケット内に宛先アドレスとして含まれている前記宛先移動通信端末の第１のアドレスを、該宛先移動通信端末の第１のアドレスに関連付けて記憶している前記宛先移動通信端末の第２のアドレスに変換する工程Ｄと、
前記発信元ルータ装置が、変換された前記宛先アドレスに基づいて、前記宛先移動通信端末に無線接続されている宛先ルータ装置に対して、前記パケットをルーティングする工程Ｅと、
前記宛先ルータ装置が、受信した前記パケット内に宛先アドレスとして含まれている前記宛先移動通信端末の第２のアドレスを、該宛先移動通信端末の第２のアドレスに関連付けて記憶している前記宛先移動通信端末の第１のアドレスに変換する工程Ｆと、
前記宛先ルータ装置が、変換された前記宛先アドレスに基づいて、前記宛先通信端末に前記パケットを転送する工程Ｇとを有することを特徴とする移動通信制御方法。
【請求項８】
前記宛先移動通信端末が、所定領域内に移動してきた場合、又は、アクティブ状態になった場合に、前記宛先ルータ装置が、前記宛先移動通信端末の第１のアドレスに関連付けて記憶する前記宛先移動通信端末の第２のアドレスを選択して前記サーバ装置に通知する工程を有することを特徴とする請求項７に記載の移動通信制御方法。
【請求項９】
前記発信元ルータ装置が、前記第１のアドレス記憶部に、前記発信元移動通信端末から受信したパケット内に宛先アドレスとして含まれている前記宛先移動通信端末の第１のアドレスに関連付けられている前記宛先移動通信端末の第２のアドレスが記憶されていない場合、該宛先移動通信端末の第２のアドレスについて前記サーバ装置に問い合せる工程を有し、
前記工程Ｂにおいて、前記サーバ装置が、前記発信元ルータ装置からの前記問い合せに応じて、前記宛先移動通信端末の第１のアドレス及び第２のアドレスを関連付けて記憶するように指示することを特徴とする請求項７に記載の移動通信制御方法。
【請求項１０】
前記サーバ装置が、前記宛先移動通信端末の移動状況又は状態変化に応じて、関連付けて管理する前記宛先移動通信端末の第１のアドレス及び第２のアドレスを変更することを特徴とする請求項７に記載の移動通信制御方法。
【請求項１１】
前記サーバ装置が、前記発信元移動通信端末から前記宛先移動通信端末へ前記パケットが転送される際に経由されないルータ装置に対して、記憶している前記宛先移動通信端末の第１のアドレス及び第２のアドレスを削除するように指示する工程を有することを特徴とする請求項７に記載の移動通信制御方法。
【請求項１２】
前記工程Ｄ又は前記工程Ｆにおいて、前記発信元ルータ装置又は前記宛先ルータ装置が、前記パケット内の判定ビットによって、前記宛先移動通信端末の第１のアドレスと前記宛先移動通信端末の第２のアドレスとを区別することを特徴とする請求項７に記載の移動通信制御方法。
【請求項１３】
発信元移動通信端末から宛先移動通信端末に複数のルータ装置を介してパケットを転送する移動通信ネットワークに設置されるサーバ装置であって、
前記宛先移動通信端末の第１のアドレス及び第２のアドレスを関連付けて管理するアドレス管理部と、
前記発信元移動通信端末に無線接続されている発信元ルータ装置に対して、前記宛先移動通信端末の第１のアドレス及び第２のアドレスを関連付けて記憶するように指示する指示部とを具備することを特徴とするサーバ装置。
【請求項１４】
前記アドレス管理部は、前記宛先移動通信端末の移動状況又は状態変化に応じて、関連付けて管理する前記宛先移動通信端末の第１のアドレス及び第２のアドレスを変更することを特徴とする請求項１３に記載のサーバ装置。
【請求項１５】
前記指示部は、前記発信元移動通信端末から前記宛先移動通信端末へ前記パケットが転送される際に経由されないルータ装置に対して、記憶している前記宛先移動通信端末の第１のアドレス及び第２のアドレスを削除するように指示することを特徴とする請求項１３に記載のサーバ装置。
【請求項１６】
発信元移動通信端末に無線接続されるルータ装置であって、
発信元移動通信端末から受信したパケット内に宛先アドレスとして含まれている宛先移動通信端末の第１のアドレスに関連付けられている宛先移動通信端末の第２のアドレスが、第１のアドレス記憶部に記憶されていない場合、該宛先移動通信端末の第２のアドレスについてサーバ装置に問い合せる問い合せ部と、
前記サーバ装置からの指示に応じて、前記宛先移動通信端末の第１のアドレス及び第２のアドレスを関連付けて記憶する第１のアドレス記憶部と、
受信した前記パケット内に宛先アドレスとして含まれている前記宛先移動通信端末の第１のアドレスを、該宛先移動通信端末の第１のアドレスに関連付けて記憶している前記宛先移動通信端末の第２のアドレスに変換するアドレス変換部と、
変換された前記宛先アドレスに基づいて、前記宛先移動通信端末に無線接続されている宛先ルータ装置に対して、前記パケットをルーティングするルーティング部とを具備することを特徴とするルータ装置。
【請求項１７】
宛先移動通信端末に無線接続されるルータ装置であって、
前記宛先移動通信端末が、所定領域内に移動してきた場合、又は、アクティブ状態になった場合に、前記宛先移動通信端末の第１のアドレスに関連付けて記憶する前記宛先移動通信端末の第２のアドレスを選択してサーバ装置に通知する選択通知部と、
前記宛先移動通信端末の第１のアドレス及び第２のアドレスを関連付けて記憶する第２のアドレス記憶部と、
受信した前記パケット内に宛先アドレスとして含まれている前記宛先移動通信端末の第２のアドレスを、該宛先移動通信端末の第２のアドレスに関連付けられて記憶している前記宛先移動通信端末の第１のアドレスに変換するアドレス変換部と、
変換された前記宛先アドレスに基づいて、前記宛先通信端末に前記パケットを転送するパケット転送部とを具備することを特徴とするルータ装置。
【請求項１８】
前記宛先移動通信端末の第１のアドレスと前記宛先移動通信端末の第２のアドレスは、前記パケット内の判定ビットによって区別されることを特徴とする請求項１６又は１７に記載のルータ装置。
【請求項１９】
前記判定ビットは、少なくともＩＰｖ６アドレスの最上位ビットを含んで構成されることを特徴とする請求項１８に記載のルータ装置。
【請求項２０】
前記判定ビットは、ＩＰｖ６アドレスの３３ビット乃至６４ビットのいずれかのビットによって構成されることを特徴とする請求項１８に記載のルータ装置。
【請求項２１】
複数のルータを介して発信元移動通信端末から宛先移動通信端末に転送されるパケットのデータ構造であり、
前記発信元移動通信端末に無線接続された発信元ルータ装置が、前記発信元移動通信端末から受信した前記パケット内に宛先アドレスとして含まれている前記宛先移動通信端末の第１のアドレスを、該宛先移動通信端末の第１のアドレスに関連付けて記憶している前記宛先移動通信端末の第２のアドレスに変換して、変換された前記宛先アドレスに基づいて前記宛先移動通信端末に無線接続されている宛先ルータ装置に対して前記パケットをルーティングし、
前記宛先ルータ装置が、受信した前記パケット内に宛先アドレスとして含まれている前記宛先移動通信端末の第２のアドレスを、該宛先移動通信端末の第２のアドレスに関連付けて記憶している前記宛先移動通信端末の第１のアドレスに変換して、変換された前記宛先アドレスに基づいて前記宛先通信端末に前記パケットを転送する場合に、
前記宛先移動通信端末の第１のアドレスと前記宛先移動通信端末の第２のアドレスとを区別するための判定ビットが、少なくともＩＰｖ６アドレスの最上位ビットを含んで構成されることを特徴とするパケットのデータ構造。
【請求項２２】
複数のルータを介して発信元移動通信端末から宛先移動通信端末に転送されるパケットのデータ構造であり、
前記発信元移動通信端末に無線接続された発信元ルータ装置が、前記発信元移動通信端末から受信した前記パケット内に宛先アドレスとして含まれている前記宛先移動通信端末の第１のアドレスを、該宛先移動通信端末の第１のアドレスに関連付けて記憶している前記宛先移動通信端末の第２のアドレスに変換して、変換された前記宛先アドレスに基づいて前記宛先移動通信端末に無線接続されている宛先ルータ装置に対して前記パケットをルーティングし、
前記宛先ルータ装置が、受信した前記パケット内に宛先アドレスとして含まれている前記宛先移動通信端末の第２のアドレスを、該宛先移動通信端末の第２のアドレスに関連付けて記憶している前記宛先移動通信端末の第１のアドレスに変換して、変換された前記宛先アドレスに基づいて前記宛先通信端末に前記パケットを転送する場合に、
前記宛先移動通信端末の第１のアドレスと前記宛先移動通信端末の第２のアドレスとを区別するための判定ビットが、ＩＰｖ６アドレスの３３ビット乃至６４ビットのいずれかのビットによって構成されることを特徴とするパケットのデータ構造。
【請求項２３】
前記発信元ルータ装置のアドレス変換部は、前記発信元移動通信端末から受信したパケット内に発信元アドレスとして含まれている前記発信元移動通信端末の第１のアドレスを、該発信元移動通信端末の第１のアドレスに関連付けて記憶している前記発信元移動通信端末の第２のアドレスに変換し、
前記宛先ルータ装置のアドレス変換部は、受信した前記パケット内に発信元アドレスとして含まれている前記発信元移動通信端末の第２のアドレスを、該発信元移動通信端末の第２のアドレスに関連付けて記憶している前記発信元移動通信端末の第１のアドレスに変換することを特徴とする請求項１に記載の移動通信制御システム。
【請求項２４】
前記アドレス変換部は、受信した前記パケット内に発信元アドレスとして含まれている前記発信元移動通信端末の第１のアドレスを、該発信元移動通信端末の第１のアドレスに関連付けて記憶している前記発信元移動通信端末の第２のアドレスに変換することを特徴とする請求項１６に記載のルータ装置。
【請求項２５】
前記アドレス変換部は、受信した前記パケット内に発信元アドレスとして含まれている前記発信元移動通信端末の第２のアドレスを、該発信元移動通信端末の第２のアドレスに関連付けられて記憶している前記発信元移動通信端末の第１のアドレスに変換することを特徴とする請求項１７に記載のルータ装置。
【発明の詳細な説明】
【０００１】
【発明の属する技術分野】
本発明は、移動通信制御システム、移動通信制御方法、これらに用いて好適なルータ装置、サーバ装置及びデータ構造に関する。
【０００２】
【従来の技術】
徒来のＩＰ（Ｉｎｔｅｒｎｅｔ　Ｐｒｏｔｏｃｏｌ）ネットワークでは、モバイル端末（ＭＮ：Ｍｏｂｉｌｉｔｙ　Ｎｏｄｅ）の「モビリティ（Ｍｏｂｉｌｉｔｙ）」を提供するために、ＭＮの位置情報を管理する「ホームエージェント（ＨＡ：Ｈｏｍｅ　Ａｇｅｎｔ）」までＭＮ宛てのＩＰパケットを転送させ、ＨＡからＭＮまで当該ＭＮ宛てのＩＰパケットをカプセル化転送することにより、モビリティを提供する「Ｍｏｂｉｌｅ　ＩＰ」が提案されている（例えば、非特許文献１乃至４参照）。
【０００３】
Ｍｏｂｉｌｅ　ＩＰでは、ＭＮが、ホームネットワークから外部ネットワークに移動した際に、外部ネットワークで使用する「ＩＰアドレス（ＣｏＡ：Ｃａｒｅ　ｏｆ　Ａｄｄｒｅｓｓ）」をＨＡに対して通知する。ＨＡは、ＭＮに固定的に割り当てられている「ＩＰアドレス（ＨｏＡ：Ｈｏｍｅ　Ａｄｄｒｅｓｓ）」に対するＣｏＡの対応関係をバインディングキャッシュ情報として保持する。
【０００４】
ＭＮの通信相手喘末である「ＣＮ（Ｃｏｒｒｅｓｐｏｎｄｅｎｔ　Ｎｏｄｅ）は、ＭＮに固定的に割り当てられているＨｏＡを使用して、ＭＮ宛てのＩＰパケットを送信する。宛先アドレスとしてＨｏＡを持つＩＰパケットは、ＭＮのホームネットワークに配備されるＨＡに転送される。ＨＡは、ＭＮの現在のＩＰアドレスであるＣｏＡに、ＣＮから送られてきたＩＰパケットをカプセル化して転送する。
【０００５】
Ｍｏｂｉｌｅ　ＩＰでは、上述のＨＡ経由の通信を「三角経路」と呼ぶ。また、ＨＡを介さずにＣＮからＭＮまで直接パケット転送を実施する「経路最適化」を実施するために、ＭＮが、直接、ＣｏＡを通信相手端末であるＣＮへ通知し、ＣＮが、ＣｏＡ宛に直接ＩＰパケットを転送することもできる。
【０００６】
【非特許文献１】
ジェイムズ・Ｄ・ソロモン著、寺岡文男、井上　淳訳「詳細Ｍｏｂｉｌｅ　ＩＰ」、株式会社ピアソン・エデュケーション出版
【非特許文献２】
「ＲＦＣ２００２　ＩＰ　Ｍｏｂｉｌｉｔｙ　ｓｕｐｐｏｒｔ」
【非特許文献３】
「ＲＦＣ３２２０　ＩＰ　Ｍｏｂｉｌｉｔｙ　Ｓｕｐｐｏｒｔ　ｆｏｒ　ＩＰｖ４」
【非特許文献４】
「ｄｒａｆｔ−ｉｅｔｆ−ｍｏｂｉｌｅｉｐ−ｉｐｖ６−１８．ｔｘｔ　Ｍｏｂｉｌｉｔｙ　Ｓｕｐｐｏｒｔ　ｉｎ　ＩＰｖ６」
【０００７】
【発明が解決しようとする課題】
しかしながら、従来の「Ｍｏｂｉｌｅ　ＩＰ」では、ＣＮからＭＮ向けの通信（下り通信）は、ＭＮのホームネットワークに配備されたＨＡ経由になるため、通信経路が冗長（三角経路）になるという問題点があった。
【０００８】
また、従来の「Ｍｏｂｉｌｅ　ＩＰ」において、ＭＮが、現在の位置情報を含むＣｏＡを直接ＣＮへ通知する仕組み（すなわち、上述の経路最適化を行う仕組み）を用いた場合、ＣＮが、ＭＮの現在の位置情報を含むＣｏＡを受信することになり、ＭＮの現在の位置情報が、通信相手であるＣＮへ漏洩するロケーションプライバシーの問題が発生するという問題点があった。
【０００９】
また、従来の「Ｍｏｂｉｌｅ　ＩＰ」では、ＭＮからＣＮ向けの通信（上り通信）において、ＭＮからの送信パケットの発信元アドレスとしてＣｏＡが使用されるため、上述の経路最適化を行わない場合であっても、ＭＮの位置情報が、ＣＮへ漏洩してしまうという問題点があった。
【００１０】
また、従来の「Ｍｏｂｉｌｅ　ＩＰ」では、ＨＡにおいて、パケットのカプセル化を実施するため、パケットのオーバヘッドが増加するという問題点があった。
【００１１】
また、従来の「Ｍｏｂｉｌｅ　ＩＰ」では、上り通信や経路最適化を行う下り通信等のパケットのカプセル化を実施しない場合、ＩＰｖ６の拡張ヘッダを使用するため、パケットのオーバヘッドが増加するという問題点があった。
【００１２】
また、従来の「Ｍｏｂｉｌｅ　ＩＰ」では、ＭＮの現在の位置情報を管理するＨＡのＩＰアドレスが、ＭＮに対して事前に通知され、ＭＮが、ホームネットワークのＨＡに対して、直接、位置登録を実施するため、モビリティの管理及び制御を行うＨＡのＩＰアドレス自体が、第三者に漏洩する可能性があり、不正な攻撃を受ける対象になりやすくなるという問題点があった。
【００１３】
そこで、本発明は、以上の点に鑑みてなされたもので、通信経路が冗長になることを防止しつつ、ＭＮの現在の位置情報及びＨＡのＩＰアドレスの漏洩を防止することを可能とする移動通信制御システム、移動通信制御方法、これらに用いて好適なルータ装置、サーバ装置及びデータ構造を提供することを目的とする。
【００１４】
【課題を解決するための手段】
本発明の第１の特徴は、サーバ装置と複数のルータ装置とを具備する移動通信制御システムであって、前記サーバ装置が、宛先移動通信端末の第１のアドレス及び第２のアドレスを関連付けて管理するアドレス管理部と、発信元移動通信端末に無線接続されている発信元ルータ装置に対して、前記宛先移動通信端末の第１のアドレス及び第２のアドレスを関連付けて記憶するように指示する指示部とを具備し、前記発信元ルータ装置が、前記サーバ装置からの指示に応じて、前記宛先移動通信端末の第１のアドレス及び第２のアドレスを関連付けて記憶する第１のアドレス記憶部と、前記発信元移動通信端末から受信したパケット内に宛先アドレスとして含まれている前記宛先移動通信端末の第１のアドレスを、該宛先移動通信端末の第１のアドレスに関連付けて記憶している前記宛先移動通信端末の第２のアドレスに変換するアドレス変換部と、変換された前記宛先アドレスに基づいて、前記宛先移動通信端末に無線接続されている宛先ルータ装置に対して、前記パケットをルーティングするルーティング部とを具備し、前記宛先ルータ装置が、前記宛先移動通信端末の第１のアドレス及び第２のアドレスを関連付けて記憶する第２のアドレス記憶部と、受信した前記パケット内に宛先アドレスとして含まれている前記宛先移動通信端末の第２のアドレスを、該宛先移動通信端末の第２のアドレスに関連付けて記憶している前記宛先移動通信端末の第１のアドレスに変換するアドレス変換部と、変換された前記宛先アドレスに基づいて、前記宛先通信端末に前記パケットを転送するパケット転送部とを具備することを要旨とする。
【００１５】
かかる発明によれば、発信元ルータ装置が、変換した第２のアドレスに基づいてパケットを宛先ルータ装置に対してルーティングし、当該宛先ルータ装置が、変換した第１のアドレスに基づいてパケットを宛先移動通信端末（ＣＮ）に転送するため、下り通信において通信経路が冗長（三角経路）になることを回避することができる。
【００１６】
また、かかる発明によれば、宛先移動通信端末（ＣＮ）が、発信元移動通信端末（ＭＮ）の現在の位置情報を含むＣｏＡを受信する必要が無いため、発信元移動通信端末（ＭＮ）の現在の位置情報が、宛先移動通信端末（ＣＮ）Ｎへ漏洩するロケーションプライバシーの問題が発生することを回避することができる。
【００１７】
また、かかる発明によれば、上り通信において、発信元移動通信端末（ＭＮ）からの送信パケットの発信元アドレスとして第１のアドレス（ＨｏＡ）が使用されるため、発信元移動通信端末（ＭＮ）の位置情報の宛先移動通信端末（ＣＮ）への漏洩を防止することができる。
【００１８】
また、かかる発明によれば、発信元ルータ装置は、パケットのカプセル化を実施しないため、パケットのオーバヘッドの増加を回避することができる。
【００１９】
また、かかる発明によれば、サーバ装置の指示部が、発信元ルータ装置に対して、宛先移動通信端末（ＣＮ）の第１のアドレス及び第２のアドレスを関連付けて記憶するように指示するため、発信元移動通信端末（ＭＮ）の現在の位置情報を管理するＨＡのＩＰアドレスが、発信元移動通信端末（ＭＮ）に対して事前に通知されることを必要とせず、また、発信元移動通信端末（ＭＮ）が、ホームネットワークのＨＡに対して、直接、位置登録を実施することを必要とせず、モビリティの管理及び制御を行うＨＡのＩＰアドレス自体が、第三者に漏洩する可能性を回避することができ、不正な攻撃を受ける対象になりにくくなる。
【００２０】
また、かかる発明によれば、サーバ装置の指示部が、発信元ルータ装置に対して、宛先移動通信端末の第１のアドレス及び第２のアドレスを関連付けて記憶するように指示するため、他ドメインへ通知する第２のアドレス（ＩＰルーティングアドレス）の精度を粗くさせることができる。また、かかる発明によれば、ルータ装置による移動通信端末の制御範囲を小さくすることができ、より高速なハンドオーバを可能とする。
【００２１】
また、本発明の第１の特徴において、前記宛先ルータ装置が、前記宛先移動通信端末が、所定領域内に移動してきた場合、又は、アクティブ状態になった場合に、前記宛先移動通信端末の第１のアドレスに関連付けて記憶する前記宛先移動通信端末の第２のアドレスを選択して前記サーバ装置に通知する選択通知部を具備し、前記サーバ装置のアドレス管理部が、通知された前記宛先移動通信端末の第２のアドレスと前記宛先移動通信端末の第１のアドレスとを関連付けて管理することが好ましい。
【００２２】
また、本発明の第１の特徴において、前記発信元ルータ装置が、前記第１のアドレス記憶部に、前記発信元移動通信端末から受信したパケット内に宛先アドレスとして含まれている前記宛先移動通信端末の第１のアドレスに関連付けられている前記宛先移動通信端末の第２のアドレスが記憶されていない場合、該宛先移動通信端末の第２のアドレスについて前記サーバ装置に問い合せる問い合せ部を具備し、前記サーバ装置の指示部が、前記発信元ルータ装置からの前記問い合せに応じて、前記宛先移動通信端末の第１のアドレス及び第２のアドレスを関連付けて記憶するように指示することが好ましい。
【００２３】
また、本発明の第１の特徴において、前記サーバ装置のアドレス管理部が、前記宛先移動通信端末の移動状況又は状態変化に応じて、関連付けて管理する前記宛先移動通信端末の第１のアドレス及び第２のアドレスを変更することが好ましい。
【００２４】
また、本発明の第１の特徴において、前記サーバ装置の指示部が、前記発信元移動通信端末から前記宛先移動通信端末へ前記パケットが転送される際に経由されないルータ装置に対して、記憶している前記宛先移動通信端末の第１のアドレス及び第２のアドレスを削除するように指示することが好ましい。
【００２５】
また、本発明の第１の特徴において、前記発信元ルータ装置又は前記宛先ルータ装置のアドレス変換部が、前記パケット内の判定ビットによって、前記宛先移動通信端末の第１のアドレスと前記宛先移動通信端末の第２のアドレスとを区別することが好ましい。
【００２６】
また、本発明の第１の特徴において、前記発信元ルータ装置のアドレス変換部が、前記発信元移動通信端末から受信したパケット内に発信元アドレスとして含まれている前記発信元移動通信端末の第１のアドレスを、該発信元移動通信端末の第１のアドレスに関連付けて記憶している前記発信元移動通信端末の第２のアドレスに変換し、前記宛先ルータ装置のアドレス変換部が、受信した前記パケット内に発信元アドレスとして含まれている前記発信元移動通信端末の第２のアドレスを、該発信元移動通信端末の第２のアドレスに関連付けて記憶している前記発信元移動通信端末の第１のアドレスに変換が好ましい。
【００２７】
本発明の第２の特徴は、発信元移動通信端末が、宛先アドレスとして宛先移動通信端末の第１のアドレスを含む前記パケットを送信する工程Ａと、サーバ装置が、前記発信元移動通信端末に無線接続されている発信元ルータ装置に対して、前記宛先移動通信端末の第１のアドレス及び第２のアドレスを関連付けて記憶するように指示する工程Ｂと、前記発信元ルータ装置が、前記サーバ装置からの指示に応じて、前記宛先移動通信端末の第１のアドレス及び第２のアドレスを関連付けて記憶する工程Ｃと、前記発信元ルータ装置が、受信した前記パケット内に宛先アドレスとして含まれている前記宛先移動通信端末の第１のアドレスを、該宛先移動通信端末の第１のアドレスに関連付けて記憶している前記宛先移動通信端末の第２のアドレスに変換する工程Ｄと、前記発信元ルータ装置が、変換された前記宛先アドレスに基づいて、前記宛先移動通信端末に無線接続されている宛先ルータ装置に対して、前記パケットをルーティングする工程Ｅと、前記宛先ルータ装置が、受信した前記パケット内に宛先アドレスとして含まれている前記宛先移動通信端末の第２のアドレスを、該宛先移動通信端末の第２のアドレスに関連付けて記憶している前記宛先移動通信端末の第１のアドレスに変換する工程Ｆと、前記宛先ルータ装置が、変換された前記宛先アドレスに基づいて、前記宛先通信端末に前記パケットを転送する工程Ｇとを有することを要旨とする。
【００２８】
また、本発明の第２の特徴において、前記宛先移動通信端末が、所定領域内に移動してきた場合、又は、アクティブ状態になった場合に、前記宛先ルータ装置が、前記宛先移動通信端末の第１のアドレスに関連付けて記憶する前記宛先移動通信端末の第２のアドレスを選択して前記サーバ装置に通知する工程を有することが好ましい。
【００２９】
また、本発明の第２の特徴において、前記発信元ルータ装置が、前記第１のアドレス記憶部に、前記発信元移動通信端末から受信したパケット内に宛先アドレスとして含まれている前記宛先移動通信端末の第１のアドレスに関連付けられている前記宛先移動通信端末の第２のアドレスが記憶されていない場合、該宛先移動通信端末の第２のアドレスについて前記サーバ装置に問い合せる工程を有し、前記工程Ａで、前記サーバ装置が、前記発信元ルータ装置からの前記問い合せに応じて、前記宛先移動通信端末の第１のアドレス及び第２のアドレスを関連付けて記憶するように指示することが好ましい。
【００３０】
また、本発明の第２の特徴において、前記サーバ装置が、前記宛先移動通信端末の移動状況又は状態変化に応じて、関連付けて管理する前記宛先移動通信端末の第１のアドレス及び第２のアドレスを変更することが好ましい。
【００３１】
また、本発明の第２の特徴において、前記サーバ装置が、前記発信元移動通信端末から前記宛先移動通信端末へ前記パケットが転送される際に経由されないルータ装置に対して、記憶している前記宛先移動通信端末の第１のアドレス及び第２のアドレスを削除するように指示する工程を有することが好ましい。
【００３２】
また、本発明の第２の特徴において、前記工程Ｃ又は前記工程Ｅで、前記発信元ルータ装置又は前記宛先ルータ装置が、前記パケット内の判定ビットによって、前記宛先移動通信端末の第１のアドレスと前記宛先移動通信端末の第２のアドレスとを区別することが好ましい。
【００３３】
本発明の第３の特徴は、発信元移動通信端末から宛先移動通信端末に複数のルータ装置を介してパケットを転送する移動通信ネットワークに設置されるサーバ装置であって、前記宛先移動通信端末の第１のアドレス及び第２のアドレスを関連付けて管理するアドレス管理部と、前記発信元移動通信端末に無線接続されている発信元ルータ装置に対して、前記宛先移動通信端末の第１のアドレス及び第２のアドレスを関連付けて記憶するように指示する指示部とを具備することを要旨とする。
【００３４】
また、本発明の第３の特徴において、前記アドレス管理部が、前記宛先移動通信端末の移動状況又は状態変化に応じて、関連付けて管理する前記宛先移動通信端末の第１のアドレス及び第２のアドレスを変更することが好ましい。
【００３５】
また、本発明の第３の特徴において、前記指示部が、前記発信元移動通信端末から前記宛先移動通信端末へ前記パケットが転送される際に経由されないルータ装置に対して、記憶している前記宛先移動通信端末の第１のアドレス及び第２のアドレスを削除するように指示することが好ましい。
【００３６】
本発明の第４の特徴は、発信元移動通信端末に無線接続されるルータ装置であって、発信元移動通信端末から受信したパケット内に宛先アドレスとして含まれている宛先移動通信端末の第１のアドレスに関連付けられている宛先移動通信端末の第２のアドレスが、第１のアドレス記憶部に記憶されていない場合、該宛先移動通信端末の第２のアドレスについてサーバ装置に問い合せる問い合せ部と、前記サーバ装置からの指示に応じて、前記宛先移動通信端末の第１のアドレス及び第２のアドレスを関連付けて記憶する第１のアドレス記憶部と、受信した前記パケット内に宛先アドレスとして含まれている前記宛先移動通信端末の第１のアドレスを、該宛先移動通信端末の第１のアドレスに関連付けて記憶している前記宛先移動通信端末の第２のアドレスに変換するアドレス変換部と、変換された前記宛先アドレスに基づいて、前記宛先移動通信端末に無線接続されている宛先ルータ装置に対して、前記パケットをルーティングするルーティング部とを具備することを要旨とする。
【００３７】
本発明の第４の特徴において、前記アドレス変換部が、受信した前記パケット内に発信元アドレスとして含まれている前記発信元移動通信端末の第１のアドレスを、該発信元移動通信端末の第１のアドレスに関連付けて記憶している前記発信元移動通信端末の第２のアドレスに変換することが好ましい。
【００３８】
本発明の第５の特徴は、宛先移動通信端末に無線接続されるルータ装置であって、前記宛先移動通信端末が、所定領域内に移動してきた場合、又は、アクティブ状態になった場合に、前記宛先移動通信端末の第１のアドレスに関連付けて記憶する前記宛先移動通信端末の第２のアドレスを選択してサーバ装置に通知する選択通知部と、前記宛先移動通信端末の第１のアドレス及び第２のアドレスを関連付けて記憶する第２のアドレス記憶部と、受信した前記パケット内に宛先アドレスとして含まれている前記宛先移動通信端末の第２のアドレスを、該宛先移動通信端末の第２のアドレスに関連付けられて記憶している前記宛先移動通信端末の第１のアドレスに変換するアドレス変換部と、変換された前記宛先アドレスに基づいて、前記宛先通信端末に前記パケットを転送するパケット転送部とを具備することを要旨とする。
【００３９】
本発明の第５の特徴において、前記アドレス変換部が、受信した前記パケット内に発信元アドレスとして含まれている前記発信元移動通信端末の第２のアドレスを、該発信元移動通信端末の第２のアドレスに関連付けられて記憶している前記発信元移動通信端末の第１のアドレスに変換することが好ましい。
【００４０】
本発明の第４又は５の特徴において、前記宛先移動通信端末の第１のアドレスと前記宛先移動通信端末の第２のアドレスは、前記パケット内の判定ビットによって区別されることが好ましい。
【００４１】
また、本発明の第４又は５の特徴において、前記判定ビットが、少なくともＩＰｖ６アドレスの最上位ビットを含んで構成されることが好ましい。
【００４２】
また、本発明の第４又は５の特徴において、前記判定ビットが、ＩＰｖ６アドレスの３３ビット乃至６４ビットのいずれかのビットによって構成されることが好ましい。
【００４３】
本発明の第６の特徴は、複数のルータを介して発信元移動通信端末から宛先移動通信端末に転送されるパケットのデータ構造であり、前記発信元移動通信端末に無線接続された発信元ルータ装置が、前記発信元移動通信端末から受信した前記パケット内に宛先アドレスとして含まれている前記宛先移動通信端末の第１のアドレスを、該宛先移動通信端末の第１のアドレスに関連付けて記憶している前記宛先移動通信端末の第２のアドレスに変換して、変換された前記宛先アドレスに基づいて前記宛先移動通信端末に無線接続されている宛先ルータ装置に対して前記パケットをルーティングし、前記宛先ルータ装置が、受信した前記パケット内に宛先アドレスとして含まれている前記宛先移動通信端末の第２のアドレスを、該宛先移動通信端末の第２のアドレスに関連付けて記憶している前記宛先移動通信端末の第１のアドレスに変換して、変換された前記宛先アドレスに基づいて前記宛先通信端末に前記パケットを転送する場合に、前記宛先移動通信端末の第１のアドレスと前記宛先移動通信端末の第２のアドレスとを区別するための判定ビットが、少なくともＩＰｖ６アドレスの最上位ビットを含んで構成されることを要旨とする。
【００４４】
本発明の第７の特徴は、複数のルータを介して発信元移動通信端末から宛先移動通信端末に転送されるパケットのデータ構造であり、前記発信元移動通信端末に無線接続された発信元ルータ装置が、前記発信元移動通信端末から受信した前記パケット内に宛先アドレスとして含まれている前記宛先移動通信端末の第１のアドレスを、該宛先移動通信端末の第１のアドレスに関連付けて記憶している前記宛先移動通信端末の第２のアドレスに変換して、変換された前記宛先アドレスに基づいて前記宛先移動通信端末に無線接続されている宛先ルータ装置に対して前記パケットをルーティングし、前記宛先ルータ装置が、受信した前記パケット内に宛先アドレスとして含まれている前記宛先移動通信端末の第２のアドレスを、該宛先移動通信端末の第２のアドレスに関連付けて記憶している前記宛先移動通信端末の第１のアドレスに変換して、変換された前記宛先アドレスに基づいて前記宛先通信端末に前記パケットを転送する場合に、前記宛先移動通信端末の第１のアドレスと前記宛先移動通信端末の第２のアドレスとを区別するための判定ビットが、ＩＰｖ６アドレスの３３ビット乃至６４ビットのいずれかのビットによって構成されることを要旨とする。
【００４５】
【発明の実施の形態】
（本発明の一実施形態に係る移動通信制御システムの構成）
以下、図面を用いて本発明の一実施形態に係る移動通信制御システムの構成について解説する。
【００４６】
図１に示すように、本実施形態に係る移動通信制御システムは、位置情報管理サーバａ及びｂと、ルータ装置ＡＲ（Ａｃｃｅｓｓ　Ｒｏｕｔｅｒ）１乃至ＡＲ４と、ルータ装置ＡＮＣ（Ａｎｃｈｏｒ　Ｒｏｕｔｅｒ）１及びＡＮＣ２と、ルータ装置ＢＲ（Ｂｏｒｄｅｒ　Ｒｏｕｔｅｒ）１及びＢＲ２とを具備している。
【００４７】
図１において、ドメインＡ及びドメインＢから構成される移動パケット通信ネットワークが示されている。ここで、ドメインＡ及びドメインＢは、同一事業者によって運営されていてもよいし、異事業者によって運営されていてもよい。
【００４８】
ドメインＡ及びドメインＢの間は、ルータ装置ＢＲ１及びルータ装置ＢＲ２によって接続されている。また、各ドメインＡ又はＢは、複数のルータ装置で構成されている。
【００４９】
ここで、複数のルータ装置のうち、アドレス変換機能を具備するルータ装置としてＡＮＣ１及びＡＮＣ２を配備し、モバイル端末に対してＩＰルーティングのファーストホップポイントとしてＡＲ１乃至ＡＲ４を配備する。
【００５０】
また、ＡＲやＢＲやＡＮＣ以外に、通常のＩＰルーティングを実施するルータ装置が、それぞれのルータ装置ＡＲ、ＡＮＣ、ＢＲの間に接続されていてもよい。
【００５１】
また、ＡＲ１乃至４の配下の構成として、複数の無線Ｉ／Ｆを終端するＡＰ（Ａｃｃｅｓｓ　Ｐｏｉｎｔ）を終端する構成やＡＲ１乃至４自身が無線Ｉ／Ｆをサポートする構成を採用することができる。
【００５２】
また、図１に、アクセスネットワークとして、モバイル端末１又は２が、移動パケット通信ネットワーク対して位置登録を実施するための「位置登録エリアＬＡ（Ｌｏｃａｔｉｏｎ　Ａｒｅａ）＃１及びＬＡ＃２」と、ＩＰパケットをルーティングすることのできる最小単位である「ルーティングエリアＲＡ（Ｒｏｕｔｉｎｇ　Ａｒｅａ）＃１乃至ＲＡ＃４」が示されている。
【００５３】
ここで、ＬＡは、１つ以上のルータ装置ＡＲによって管理されており、ＲＡは、１つのルータ装置ＡＲによって管理されている。
【００５４】
図１では、Ａｃｔｉｖｅ状態のモバイル端末１ａが、位置登録エリアＬＡ＃２内において、ルーティングエリアＲＡ＃１からルーティングエリアＲＡ＃２に移動している。また、Ｄｏｒｍａｎｔ状態のモバイル端末１ｂが、位置登録エリアＬＡ＃１内のルーティングエリアＲＡ＃４から位置登録エリアＬＡ＃２内のルーティングエリアＲＡ＃１に移動している。また、Ａｃｔｉｖｅ状態のモバイル端末２は、ルーティングエリアＲＡ＃３に在圏している。
【００５５】
ここで、Ａｃｔｉｖｅ状態とは、ＩＰパケットをいつでも送受信可能な状態であり、Ｄｏｒｍａｎｔ状態とは、送信電力や電源の消費を抑えるために、パケットを受信しても、ＬＡ間を移動しない限りパケットの送信を実施しない状態である。
【００５６】
図２を参照して、本発明に係るモバイル端末１ａ、１ｂ、２の構成について説明する。モバイル端末１ａ、１ｂの構成とモバイル端末２の構成とは、基本的に同一であるため、以下、モバイル端末１ａの構成についてのみ説明する。
【００５７】
モバイル端末１ａは、図２に示すように、通信Ｉ／Ｆ部１０と、位置登録部１１と、報知情報受信部１２と、状態遷移通知部１３と、通信部１４とを具備する移動通信端末である。
【００５８】
通信Ｉ／Ｆ部１０は、無線接続を介して、モバイル端末１ａが在圏するルーティングエリアＲＡ＃１を管理するルータ装置ＡＲ２との間でパケットの送受信を行うものである。
【００５９】
位置登録部１１は、モバイル端末１ａが無線接続されているルータ装置ＡＲ２を介して、モバイル端末１ａが在圏するドメインＢに配置されている位置情報管理サーバｂに、モバイル端末１ａの位置情報を登録するものである。位置登録部１１は、モバイル端末１ａが移動することによって在圏する位置登録エリアＬＡが変更した際に、位置登録パケットをルータ装置ＡＲ２を介して位置情報管理サーバｂに送信する。
【００６０】
図１の例では、Ｄｏｒｍａｎｔ状態のモバイル端末１ｂが、ＬＡを跨った際（ＬＡ＃１からＬＡ＃２への移動）に、ルータ装置ＡＲ１に対して位置登録パケットを送信する。また、Ａｃｔｉｖｅ状態のモバイル端末１ａが、同一ＬＡ＃２内のＲＡ間の移動の際（ＲＡ＃１からＲＡ＃２への移動の際）に、位置登録パケットを送信しない。
【００６１】
報知情報受信部１２は、ルータ装置ＡＲ２からのページング等の放置情報を受信するものである。
【００６２】
状態遷移通知部１３は、Ａｃｔｉｖｅ状態やＤｏｒｍａｎｔ状態の状態遷移をＡＲに対して通知するものである。状態遷移通知部１３は、少なくとも２つの状態遷移（Ａｃｔｉｖｅ状態及びＤｏｒｍａｎｔ状態）を通知する。
【００６３】
例えば、状態遷移通知部１３は、アプリケーションの起動やルータ装置ＡＲからのページングの受信等のトリガにより、モバイル端末１ａがＤｏｒｍａｎｔ状態からＡｃｔｉｖｅ状態に移行した場合、ルータ装置ＡＲに対してＡｃｔｉｖｅ状態に移行したことを通知する。
【００６４】
通信部１４は、通信Ｉ／Ｆ部１０を介して宛先モバイル端末２に対してＩＰパケットを生成して送信するものである。通信部１４は、宛先アドレスとして宛先モバイル端末２のＩＰホストアドレス（第１のアドレス）を指定し、発信元アドレスとして発信元モバイル端末１ａのＩＰホストアドレス（第１のアドレス）を指定したパケットを生成する。
【００６５】
ここで、ＩＰホストアドレス（第１のアドレス）とは、モバイル端末の現在位置や移動状況等によって変化しないアドレス、すなわち、モバイル端末をグローバルでユニークに識別するためのアドレスである。
【００６６】
一方、後述のＩＰルーティングアドレスは、モバイル端末の現在位置や移動状況等によって変化するアドレス、移動パケット通信ネットワーク内でパケットを最適化経路にてルーティングさせるためのアドレスである。
【００６７】
かかるパケットのフォーマットには、ＡＲやＢＲやＡＮＣ等のルータ装置においてＩＰホストアドレスとＩＰルーティングアドレスとを判定可能な判定ビットが含まれる。その結果、既存の固定端末やＭｏｂｉｌｅ　ＩＰ端末のＨｏＡ等は、従来どおりＩＰルーティングアドレスとして扱われる。
【００６８】
図３を参照して、位置情報管理サーバａ、ｂについて説明する。位置情報管理サーバａ、ｂの構成は、基本的に同一であるため、以下、位置情報管理サーバｂの構成についてのみ説明する。
【００６９】
位置情報管理サーバｂは、図３に示すように、位置情報管理部２１と、ＩＰルーティグアドレス管理部２２と、モバイル端末状態管理部２３と、ルータ装置制御部２４とを具備する。
【００７０】
位置情報管理部２１は、位置情報管理サーバｂが接続されているドメインＢをホームネットワークとする複数のモバイル端末（例えば、モバイル端末１ａ）が現在位置しているＬＡ情報を管理するものである。
【００７１】
例えば、位置情報管理部２１は、図３に示すように、ルータ装置ＡＲ２を介してモバイル端末１ａから受信した位置登録パケットに応じて、モバイル端末の識別情報（モバイル端末１ａ）と該モバイル端末が現在位置するＬＡの識別情報（ＬＡ＃２）とを関連付けるテーブルを記憶する。
【００７２】
ＩＰルーティングアドレス管理部２２は、宛先モバイル端末のＩＰホストアドレス（第１のアドレス）及びＩＰルーティングアドレス（第２のアドレス）を関連付けるＩＰルーティングアドレス情報を管理するアドレス管理部である。
【００７３】
例えば、ＩＰルーティングアドレス管理部２２は、図３に示すように、ＩＰホストアドレス＃ＡとＩＰルーティングアドレス＃Ｘ０とを関連付けて記憶し、ＩＰホストアドレス＃ＢとＩＰルーティングアドレス＃Ｘ１とを関連付けて記憶する。
【００７４】
また、ＩＰルーティングアドレス管理部２２は、ＡＲ、ＢＲ、ＡＮＣ等のルータ装置からの問い合せ時に、当該ルータ装置に対して、該当するモバイル端末のＩＰルーティングアドレス若しくはＩＰホストアドレスを通知する機能を具備する。
【００７５】
例えば、ＩＰルーティングアドレス管理部２２は、発信元モバイル端末１ａに無線接続されている発信元ルータ装置ＡＲ２に対して、宛先モバイル端末２のＩＰホストアドレス（第１のアドレス）及びＩＰルーティングアドレス（第２のアドレス）を関連付けて記憶するように指示する指示部を構成する。
【００７６】
また、ＩＰルーティングアドレス管理部２２は、モバイル端末の移動状況（在圏するＬＡ情報の変化）又は状態変化（Ａｃｔｉｖｅ状態とＤｏｒｍａｎｔ状態との間の状態遷移）等に応じて、上述のＩＰルーティングアドレス情報を変更する機能を具備する。
【００７７】
例えば、ＩＰルーティングアドレス管理部２２は、モバイル端末がＡｃｔｉｖｅ状態からＤｏｒｍａｎｔ状態へ移行したことを、ルータ装置ＡＲから通知された場合、該当するＩＰルーティングアドレス情報を削除すると共に、他のルータ装置ＡＲ、ＢＲ、ＡＮＣにおいて送信用のキャッシュテーブル及び受信用のキャッシュテーブルを削除するように指示することができる。
【００７８】
また、ＩＰルーティングアドレス管理部２２は、上述のＩＰルーティングアドレス情報の変更に応じて、ＡＲ、ＢＲ、ＡＮＣ等のルータ装置に対して、ＩＰルーティングアドレスを書き換えるための指示を出す機能を具備する。
【００７９】
例えば、ＩＰルーティングアドレス管理部２２は、発信元モバイル端末１ａから宛先モバイル端末２へパケットが転送される際に経由されないルータ装置ＡＲ１に対して、記憶している宛先モバイル端末のＩＰホストアドレス（第１のアドレス）及びＩＰルーティングアドレス（第２のアドレス）を削除するように指示することができる。
【００８０】
また、ＩＰルーティングアドレス管理部２２は、ルータ装置（例えば、ＡＲ２）から宛先モバイル端末のＩＰホストアドレス（第１のアドレス）及びＩＰルーティングアドレス（第２のアドレス）が通知された場合、これらのアドレスの使用を許可するか否かについて判断して、当該判断結果を当該ルータ装置に通知する。判断結果が肯定的である場合、ＩＰルーティングアドレス管理部２２は、上述の宛先モバイル端末のＩＰホストアドレス（第１のアドレス）とＩＰルーティングアドレス（第２のアドレス）とを関連付けて管理する。
【００８１】
また、ＩＰルーティングアドレス管理部２２は、Ａｃｔｉｖｅ状態のモバイル端末のＩＰルーティングアドレス情報のみを管理し、Ｄｏｒｍａｎｔ状態のモバイル端末の、ＩＰルーティングアドレス情報を管理しないように構成されていてもよい。
【００８２】
モバイル端末状態管理部２３は、モバイル端末の状態（Ａｃｔｉｖｅ状態又はＤｏｒｍａｎｔ状態）を管理するものである。例えば、モバイル端末状態管理部２３は、ＩＰルーティングアドレス情報がＩＰルーティングアドレス管理部２２において管理されているモバイル端末を「Ａｃｔｉｖｅ状態」として管理し、ＩＰルーティングアドレス情報がＩＰルーティングアドレス管理部２２において管理されていないモバイル端末を「Ｄｏｒｍａｎｔ状態」として管理してもよい。
【００８３】
ルータ装置制御部２４は、位置管理サーバ装置ｂが接続されているドメインＢ内のルータ装置ＡＲ、ＢＲ、ＡＮＣとの間で、所定の通信プロトコルを用いて制御パケット等の送受信を行うものである。
【００８４】
例えば、ルータ装置制御部２４は、ルータ装置ＡＲ２を介してモバイル端末１ａから位置登録パケットを受信した場合、受信した位置登録パケットを位置情報管理部２１に転送する。
【００８５】
また、ルータ装置制御部２４は、ＩＰルーティングアドレス管理部２２からの上述の指示をルータ装置ＡＲ２に送信する。
【００８６】
図４を参照して、複数のルータ装置ＡＲ１乃至ＡＲ４、ＢＲ１及びＢＲ２、ＡＮＣ１及びＡＮＣ２について説明する。複数のルータ装置ＡＲ１乃至ＡＲ４、ＢＲ１及びＢＲ２、ＡＮＣ１及びＡＮＣ２の構成は、ほとんど同一であるため、以下、ルータ装置ＡＲ２の構成について重点的に説明し、各ルータ装置特有の構成については適宜説明する。
【００８７】
ルータ装置ＡＲ２は、図４に示すように、モバイル端末Ｉ／Ｆ部３１と、位置情報管理サーバＩ／Ｆ部３２と、ネットワークＩ／Ｆ部３３と、ルーティングテーブル記憶部３４と、送信用キャッシュテーブル記憶部３５と、受信用キャッシュテーブル記憶部３６と、アドレス判定部３７と、バッファ部３８と、…ルーティング部３９と、テーブル更新部４０とを具備する。
【００８８】
ルータ装置ＡＮＣ、ＢＲは、モバイル端末Ｉ／Ｆ部３１を具備しない点を除いて、ルータ装置ＡＲ２の構成と同様である。
【００８９】
モバイル端末Ｉ／Ｆ部３１は、ＡＲ２が管理するＲＡ＃２に在圏するモバイル端末１ａとの間の無線接続を介してパケット（ＩＰパケットや位置登録パケット等を含む）を送受信するものである。
【００９０】
モバイル端末Ｉ／Ｆ部３１は、モバイル端末１ａが、所定領域（ＲＡ＃２）内に移動してきた場合、又は、Ａｃｔｉｖｅ状態になった場合に、モバイル端末１ａのＩＰホストアドレス（第１のアドレス）に関連付けて記憶するモバイル端末１ａのＩＰルーティングアドレス（第２のアドレス）を選択して、位置情報管理サーバＩ／Ｆ部３２を介して位置情報管理サーバｂに通知する選択通知部を構成する。
【００９１】
また、モバイル端末Ｉ／Ｆ部３１は、モバイル端末１ａからの各種制御パケットを受信し、受信した制御パケット内の発信元アドレスであるＩＰホストアドレスから該当する位置情報管理サーバｂのアドレスを解決し、位置情報管理サーバＩ／Ｆ部３２を介して当該制御パケットを位置情報管理サーバｂに転送する。
【００９２】
また、モバイル端末Ｉ／Ｆ部３１は、位置情報管理サーバｂから位置情報管理サーバＩ／Ｆ部３２を介してページングパケットを受信した場合、当該ページングパケット内のメッセージ内容を解釈し、モバイル端末に対するページング処理を実施することができる。
【００９３】
位置情報管理サーバＩ／Ｆ部３２は、ＡＲ２が所属するドメインＢに配置された位置情報管理サーバｂとの間で、所定の通信プロトコルを用いて、送信用キャッシュテーブル又は受信用キャッシュテーブルの作成、変更、削除の指示やページング信号等の制御パケットを送受信するものである。
【００９４】
例えば、Ａｃｔｉｖｅ状態のモバイル端末がＲＡ＃１からＲＡ＃２に移動した際、ＲＡ＃２を管理するルータ装置ＡＲ２の位置情報管理サーバＩ／Ｆ部３２は、モバイル端末Ｉ／Ｆ部３１によるモバイル端末からの制御パケットの受信をトリガとして、ＩＰルーティングアドレスを当該モバイル端末に割り当て、その旨を位置情報管理サーバｂに通知する。そして、位置情報管理サーバＩ／Ｆ部３２は、位置情報管理サーバｂから当該割り当ての許可が得られた場合に、その旨をテーブル更新部に通知する。
【００９５】
また、位置情報管理サーバＩ／Ｆ部３２は、アプリケーションの起動やページング等のトリガによりモバイル端末がＤｏｒｍａｎｔ状態からＡｃｔｉｖｅ状態に移行した場合、モバイル端末Ｉ／Ｆ部３１によるモバイル端末から受信したＡｃｔｉｖｅ状態に移行した旨の通知に応じて、プールしてあるＩＰルーティングアドレスの帯域から当該モバイル端末に対して１つのＩＰルーティングアドレスを割り当て、その旨を位置情報管理サーバｂに通知する。そして、位置情報管理サーバＩ／Ｆ部３２は、位置情報管理サーバｂから当該割り当ての許可が得られた場合に、正式なＩＰルーティングアドレスとして登録し、その旨をテーブル更新部に通知する。
【００９６】
また、モバイル端末Ｉ／Ｆ部３１が、Ｄｏｒｍａｎｔ状態のモバイル端末がＬＡを跨った際に送信する位置登録メッセージを制御パケットとして受信した場合、位置情報管理サーバＩ／Ｆ部３２は、モバイル端末のＩＰホストアドレスをキーにして、位置情報管理サーバｂへ位置登録メッセージを転送する。すなわち、位置情報管理サーバＩ／Ｆ部３２は、モバイル端末に対するプロキシとして機能する。
【００９７】
ネットワークＩ／Ｆ部３３は、ＡＲ２が所属するドメインＢ内の他のルータ装置（例えば、ＡＮＣ１）との間でＩＰパケットを送受信するものである。
【００９８】
ルーティングテーブル記憶部３４は、ＩＰルーティングアドレスに基づくルーティングテーブルを記憶するものである。例えば、ＡＲ２におけるルーティングテーブルにおいて、ルーティング情報として、ＩＰルーティングアドレス＃Ｘ１であるＩＰパケットをルータ装置ＡＮＣ１にルーティングするように記憶されている。
【００９９】
送信用キャッシュテーブル記憶部３５は、位置情報管理サーバｂからの指示に応じて、宛先モバイル端末のＩＰホストアドレス（第１のアドレス）及びＩＰルーティングアドレス（第２のアドレス）を関連付けて記憶する第１のアドレス記憶部を構成する。
【０１００】
例えば、送信用キャッシュテーブル記憶部３５は、図４に示すように、ルータ装置ＡＲ２が管理するモバイル端末について、ＩＰホストアドレス＃ＢとＩＰルーティングアドレス＃Ｘ１とを関連付けるテーブルを記憶する。
【０１０１】
受信用キャッシュテーブル記憶部３６は、位置情報管理サーバｂからの指示に応じて、宛先モバイル端末のＩＰホストアドレス（第１のアドレス）及びＩＰルーティングアドレス（第２のアドレス）を関連付けて記憶する第２のアドレス記憶部を構成する。
【０１０２】
例えば、受信用キャッシュテーブル記憶部３６は、図４に示すように、ルータ装置ＡＲ２が管理するモバイル端末について、ＩＰルーティングアドレス＃Ｘ０とＩＰホストアドレス＃Ｂとを関連付けるテーブルを記憶する。
【０１０３】
アドレス判定部３７は、発信元モバイル端末１ａから受信したＩＰパケットの宛先アドレスがＩＰホストアドレス（第１のアドレス）であるかＩＰルーティングアドレス（第２のアドレス）であるかを判定するものである。
【０１０４】
アドレス判定部３７は、具体的には、ＩＰパケット内の判定ビットを参照することにより、ＩＰホストアドレス（第１のアドレス）であるかＩＰルーティングアドレス（第２のアドレス）であるかを判定する。
【０１０５】
ここで、図５を参照して、本実施形態で用いられるＩＰパケットのフォーマットについて説明する。本実施形態において、ＩＰホストアドレス及びＩＰルーティングアドレスは、図５（ａ）に示す（既存の）ＩＰｖ６アドレスのアドレス体系に「判定ビット」を定義することにより実現できる。
【０１０６】
第１の方法として、図（ｂ）に示すように、ＩＰｖ６アドレスの最上位ビットを含む３ビットに規定されている「ＦＰ（Ｆｏｒｍａｔ　Ｐｒｅｆｉｘ）領域」に「判定ビット」を設定する方法が考えられる。現在、ＦＰ領域には、グローバルユニキャストアドレスとして「００１」が設定されるものとして規定されている。
【０１０７】
本方法は、例えば、図（ｂ）に示すように、既存のＩＰｖ６の固定端末やＭｏｂｉｌｅ　ＩＰ端末等で用いられる「ＨｏＡ」や「ＣｏＡ」を含むＩＰルーティングアドレスの場合「ＦＰ領域」に「００１（現在グローバルユニキャストアドレスとして規定されている値）」を設定し、一方、ＩＰホストアドレスの場合「ＦＰ領域」に「０１０」を設定することによって、「判定ビット」を定義するものである。
【０１０８】
ただし、本実施形態では、ＩＰホストアドレスの場合、「ＦＰ領域」の値として「０１０」を設定することとしたが、本発明は、これに限定されることは無く、「ＦＰ領域」の値として他の値を設定することができる。
【０１０９】
第２の方法として、図（ｃ）に示すように、ネットワークプリフィクス内の「ＩＳＰ　ＩＤ」の次のビットに「判定ビット」を設定する方法が考えられる。ここで、「ＩＳＰ　ＩＤ」は、通信事業者（通信キャリア）やＩＳＰに対して既存の割り当てルールに基づいて割り当てられるものである。
【０１１０】
本方法は、例えば、図（ｃ）に示すように、ＩＰルーティングアドレスの場合「ＩＳＰ　ＩＤ」の次のビットに「１」を設定し、ＩＰホストアドレスの場合「ＩＳＰ　ＩＤ」の次のビットに「０」を設定することによって、「判定ビット」を定義するものである。
【０１１１】
ただし、本実施形態では、「ＩＳＰ　ＩＤ」の次のビットに「判定ビット」を規定することとしたが、本発明は、これに限定されること無く、ＩＰｖ６アドレスの３３ビット乃至６４ビットのいずれかのビット、又は、６５ビット乃至１２８ビットのいずれかのビットによって「判定ビット」を定義することができる。
【０１１２】
上述の第１の方法又は第２の方法を用いることにより、ＩＰパケットに新規のアドレスフォーマットを規定すること無しに、ＩＰホストアドレス及びＩＰルーティングアドレスを判定するための判定ビットを定義することが可能になる。
【０１１３】
また、本発明は、ＩＰｖ６アドレス以外のＩＰｖ４アドレスでも同様に、アドレス体系に「判定ビット」を定義することにより、ＩＰホストアドレス及びＩＰルーティングアドレスを判定することができる。
【０１１４】
また、アドレス判定部３７は、ＩＰパケット内の宛先アドレスが「ＩＰホストアドレス」であると判定した場合、送信用キャッシュテーブル記憶部３５内に、当該ＩＰホストアドレスに係るデータが存在するか否かについて判定する。
【０１１５】
また、アドレス判定部３７は、当該ＩＰホストアドレスに係るデータが送信用キャッシュテーブル記憶部３５内に存在すると判定した場合、当該ＩＰホストアドレス（第１のアドレス）を、ＩＰルーティングアドレス（第２のアドレス）に変換するアドレス変換部を構成する。かかる場合、アドレス判定部３７は、宛先アドレスを変換したＩＰパケットをルーティング部３９に送信する。
【０１１６】
一方、アドレス判定部３７は、当該ＩＰホストアドレスに係るデータが送信用キャッシュテーブル記憶部３５内に存在しないと判定した場合、当該ＩＰパケットを一時的にバッファ部３８にバッファリングする。
【０１１７】
かかる場合、アドレス判定部３７は、宛先アドレスとしてのＩＰホストアドレスをキーにして、位置情報管理サーバｂ（又は、位置情報管理サーバａ）に、宛先モバイル端末２のＩＰルーティングアドレスを問い合わせる問い合せ部を構成する。
【０１１８】
また、アドレス判定部３７は、位置情報管理サーバｂ（又は、位置情報管理サーバａ）からの応答結果に応じて、バッファ部３８にバッファリングしていたＩＰパケットの宛先アドレスを、ＩＰホストアドレスからＩＰルーティングアドレスに変換して、当該ＩＰパケットをルーティング部３９に転送する。
【０１１９】
また、アドレス判定部３７は、ＩＰパケット内の宛先アドレスが「ＩＰルーティングアドレス」であると判定した場合、当該ＩＰパケットの宛先アドレスを変換することなく、当該ＩＰパケットをルーティング部３９に転送する。
【０１２０】
また、アドレス判定部３７は、ＩＰパケットの宛先アドレスがＩＰルーティングアドレスである場合で、かつ、当該ＩＰルーティングアドレスに係るデータが受信用キャッシュテーブル記憶部３６に存在する場合、受信用キャッシュテーブル記憶部３６を参照して、当該ＩＰアドレスの宛先アドレスを、ＩＰルーティングアドレスからＩＰホストアドレスに変換して、当該ＩＰパケットをルーティング部３９に転送する。
【０１２１】
ルーティング部３９は、ルーティングテーブル記憶部３４を参照して、変換された宛先アドレス（ＩＰルーティングアドレス又はＩＰホストアドレス）に基づいて、宛先モバイル端末２に無線接続されている宛先ルータ装置ＡＲ３に対して、ＩＰパケットをルーティングするものである。
【０１２２】
本実施形態では、ルーティング部３９は、宛先アドレスがＩＰルーティングアドレスであるＩＰパケットを、ネットワークＩ／Ｆ部３３を介して、ルータ装置ＡＮＣ１に転送する。
【０１２３】
また、ルーティング部３９は、宛先アドレスがＩＰホストアドレスであるＩＰパケットを、モバイル端末Ｉ／Ｆ部３１を介して、モバイル端末１ａに転送するパケット転送部を構成する。
【０１２４】
また、ルーティング部３９は、ＯＳＰＦ等のルーティングプロトコルに基づいて、ＩＰパケットのルーティング処理を行う。
【０１２５】
テーブル更新部４０は、位置情報管理サーバＩ／Ｆ部３２を介して受信した位置情報管理サーバｂからの指示に応じて、ルーティングテーブル記憶部３４と送信用キャッシュテーブル記憶部３５と受信用キャッシュテーブル記憶部３６とを更新するものである。
【０１２６】
例えば、テーブル更新部４０は、アドレス判定部３７による位置情報管理サーバｂ（又は、位置情報管理サーバａ）への問い合わせ結果に応じて、送信用キャッシュテーブル記憶部３５に、モバイル端末２のＩＰルーティングアドレスに係るデータを新規追加する。
【０１２７】
（本発明の一実施形態に係る移動通信制御システムの動作）
図６は、本発明の一実施形態に係る移動通信制御システムにおいて、モバイル端末１ａからモバイル端末２にＩＰパケットを転送する際のシーケンス図を示すものである。ここで、モバイル端末１ａのＩＰホストアドレス（第１のアドレス）が「Ａ」であり、モバイル端末２のＩＰホストアドレス（第１のアドレス）が「Ｂ」であるものとする
図６に示すように、ステップ６０１において、モバイル端末１ａが、宛先アドレスにモバイル端末２のＩＰホストアドレス（第１のアドレス）「Ｂ」を設定したＩＰパケットを、無線回線を介してルータ装置ＡＲ２に送信する。
【０１２８】
ステップ６０２において、ルータ装置ＡＲ２のアドレス判定部３７が、送信用キャッシュテーブル記憶部３５を参照して、受信したＩＰパケットの宛先アドレスを、モバイル端末２のＩＰホストアドレス（第１のアドレス）「Ｂ」からモバイル端末２のＩＰルーティングアドレス（第２のアドレス）「Ｘ１」に変換する。
【０１２９】
ステップ６０３において、ルータ装置ＡＲ２のルーティング部３９が、ルーティングテーブル記憶部３４を参照して、アドレス変換を施したＩＰパケット（宛先アドレス「Ｘ１」）をルータ装置ＡＮＣ１に転送する。
【０１３０】
ステップ６０４において、ルータ装置ＡＮＣ１のアドレス判定部３７が、受信したＩＰパケット内の判定ビットにより、当該ＩＰパケット内にモバイル端末２のＩＰルーティングアドレス（第２のアドレス）「Ｘ１」が設定されていると判定する。
【０１３１】
ステップ６０５において、ルータ装置ＡＮＣ１のルーティング部３９が、ルーティングテーブル記憶部３４を参照して、アドレス変換を施すことなく、ＩＰパケット（宛先アドレス「Ｘ１」）をルータ装置ＢＲ１に転送する。
【０１３２】
以下、ステップ６０６からステップ６１１まで、ステップ６０４及びステップ６０５を繰り返すことによって、宛先アドレスとしてモバイル端末２のＩＰルーティングアドレス（第２のアドレス）「Ｘ１」が設定されたＩＰパケットが、宛先モバイル端末２と無線接続されているルータ装置ＡＲ３まで転送される。
【０１３３】
ステップ６１２において、ルータ装置ＡＲ３のアドレス判定部３７が、受信用キャッシュテーブル記憶部３５を参照して、受信したＩＰパケットの宛先アドレスを、モバイル端末２のＩＰルーティングアドレス（第２のアドレス）「Ｘ１」からモバイル端末２のＩＰホストアドレス（第１のアドレス）「Ｂ」に変換する。
【０１３４】
ステップ６１３において、ルータ装置ＡＲ３のルーティング部３９が、ルーティングテーブル記憶部３４を参照して、アドレス変換を施したＩＰパケット（宛先アドレス「Ｂ」）を、無線回線を介してモバイル端末２に転送する。
【０１３５】
（本発明の一実施形態に係る移動通信制御システムの作用・効果）
本実施形態に係る移動通信制御システムによれば、発信元ルータ装置ＡＲ２が、変換したＩＰルーティングアドレス（第２のアドレス）に基づいてＩＰパケットを宛先ルータ装置ＡＲ３に対してルーティングし、当該宛先ルータ装置ＡＲ３が、変換したＩＰホストアドレス（第１のアドレス）に基づいてＩＰパケットを宛先モバイル端末２に転送するため、下り通信において通信経路が冗長（三角経路）になることを回避することができる。
【０１３６】
また、本実施形態に係る移動通信制御システムによれば、宛先モバイル端末２が、発信元モバイル端末１ａの現在の位置情報を含むＣｏＡを受信する必要が無いため、発信元モバイル端末１ａの現在の位置情報ＬＡ＃２が、宛先モバイル端末２へ漏洩するロケーションプライバシーの問題が発生することを回避することができる。
【０１３７】
また、本実施形態に係る移動通信制御システムによれば、上り通信において、発信元モバイル端末１ａからの送信パケットの発信元アドレスとしてＩＰホストアドレス（第１のアドレス）が使用されるため、発信元モバイル端末１ａの位置情報ＬＡ＃２の宛先モバイル端末１ａへの漏洩を防止することができる。
【０１３８】
また、本実施形態に係る移動通信制御システムによれば、発信元ルータ装置ＡＲ２は、ＩＰパケットのカプセル化を実施しないため、パケットのオーバヘッドの増加を回避することができる。
【０１３９】
また、本実施形態に係る移動通信制御システムによれば、位置情報管理サーバｂのルータ装置制御部２４が、発信元ルータ装置ＡＲ２に対して、宛先モバイル端末２のＩＰホストアドレス（第１のアドレス）及びＩＰルーティングアドレス（第２のアドレス）を関連付けて記憶するように指示するため、発信元モバイル端末１ａの現在の位置情報ＬＡ＃２を管理するＨＡのＩＰアドレスが、発信元モバイル端末１ａに対して事前に通知されることを必要とせず、また、発信元モバイル端末１ａが、ホームネットワークのＨＡに対して、直接、位置登録を実施することを必要とせず、モビリティの管理及び制御を行うＨＡのＩＰアドレス自体が、第三者に漏洩する可能性を回避することができ、不正な攻撃を受ける対象になりにくくなる。
【０１４０】
また、本実施形態に係る移動通信制御システムによれば、位置情報管理サーバｂのルータ装置制御部２４が、発信元ルータ装置ＡＲ２に対して、宛先モバイル端末２のＩＰホストアドレス（第１のアドレス）及びＩＰルーティングアドレス（第２のアドレス）を関連付けて記憶するように指示するため、他ドメインへ通知するＩＰルーティングアドレス（第２のアドレス）の精度を粗くさせることができる。また、かかる発明によれば、ルータ装置によるモバイル端末の制御範囲を小さくすることができ、より高速なハンドオーバを可能とする。
【０１４１】
（変更例）
本発明は、上記実施形態に限定されるものではなく、例えば、特定のドメイン（例えば、ドメインＢ）内の全てのルータ装置ＡＮＣ１及びＢＲ１で、ＩＰルーティングアドレスを変換するように構成されてもよい。例えば、ルータ装置ＡＮＣ１で、ＩＰルーティングアドレスが「Ｘ１」から「Ｘ２」に変換され、ルータ装置ＢＲ１で、ＩＰルーティングアドレスが「Ｘ２」から「Ｘ３」に変換されるように構成する場合であっても、本発明を適用することができる。
【０１４２】
また、本発明は、例えば、特定のドメイン（例えば、ドメインＡ）内の一部のルータ装置ＡＮＣ１で、ＩＰルーティングアドレスを変換するように構成されてもよい。
【０１４３】
また、本発明において、ＩＰルーティングアドレスの変換を実施するルータ装置を、上り方向（モバイル端末１ａからモバイル端末２の方向）と下り方向（モバイル端末２からモバイル端末１ａの方向）とで異なるものとしてもよい。
【０１４４】
また、本発明は、宛先アドレスについてアドレス変換を実施する場合だけでなく、発信元アドレスについてアドレス変換を併せて実施する場合にも適用される。
【０１４５】
【発明の効果】
以上説明したように本発明によれば、通信経路が冗長になることを防止しつつ、発信元モバイル端末の現在の位置情報及び位置情報管理サーバのＩＰアドレスの漏洩を防止することを可能とする移動通信制御システム、移動通信制御方法、これらに用いて好適なルータ装置、サーバ装置及びデータ構造を提供することができる。
【図面の簡単な説明】
【図１】本発明における移動通信制御システムの全体構成図である。
【図２】本発明における移動通信制御システムにおける移動通信端末（モバイル端末）の機能ブロック図である。
【図３】本発明における移動通信制御システムにおける位置情報管理サーバの機能ブロック図である。
【図４】本発明における移動通信制御システムにおけるルータ装置の機能ブロック図である。
【図５】本発明における移動通信制御システムで用いられるＩＰホストアドレス及びＩＰルーティングアドレスのフォーマットを示す図である。
【図６】本発明における移動通信制御システムにおける動作を示すシーケンス図である。
【符号の説明】
１ａ、１ｂ、２…モバイル端末
１０…通信Ｉ／Ｆ部
１１…位置登録部
１２…報知情報受信部
１３…状態遷移通知部
１４…通信部
２１…位置情報管理部
２２…ＩＰルーティングアドレス管理部
２３…モバイル端末状態管理部
２４…ルータ装置制御部
３１…モバイル端末Ｉ／Ｆ部
３２…位置情報管理サーバＩ／Ｆ部
３３…ネットワークＩ／Ｆ部
３４…ルーティングテーブル記憶部
３５…送信用キャッシュテーブル記憶部
３６…受信用キャッシュテーブル記憶部
３７…アドレス判定部
３８…バッファ部
３９…ルーティング部
４０…テーブル更新部
ａ、ｂ…位置情報管理サーバ
ＡＲ、ＡＮＣ、ＢＲ…ルータ装置
ＬＡ…位置登録エリア
ＲＡ…ルーティングエリア
【図１】
2004112727.tif 000003
【図２】
2004112727.tif 000004
【図３】
2004112727.tif 000005
【図４】
2004112727.tif 000006
【図５】
2004112727.tif 000007
【図６】
2004112727.tif 000008